(57)【要約】      （修正有）【課題】空港における、伝染性の病気への感染の拡大を、従来よりも効果的に抑制する。【解決手段】感染情報評価システム１は、第１の空港と第２の空港で航空機に搭乗する搭乗者の感染情報を取得する第１の取得装置１０Ａと第２の取得装置１０Ｂ及びサーバ装置２０から構成される。サーバ装置２０は、搭乗者の識別情報と航空機の便名を特定する情報とを対応付ける搭乗者情報と、航空機の便名を特定する情報と航空機の出発地及び到着地を特定する情報とを対応付けるフライト情報と、を記憶する記憶部２６と、制御部２４とを備える。制御部２４は、第２の取得装置１０Ｂが取得した感染情報から、搭乗者情報とフライト情報とに基づいて、第１の空港に到着する搭乗者の感染情報を抽出し、抽出した感染情報と、第１の取得装置１０Ａで取得された感染情報とに基づいて、第１の空港における、伝染性の病気に感染する危険度を示す感染危険度を評価する。【選択図】図１
2019204349.tif 000002
【特許請求の範囲】
【請求項１】
第１の空港に設置され、当該第１の空港で航空機に搭乗する搭乗者それぞれについての、伝染性の病気に感染している可能性を示す感染情報を検出し、当該検出した感染情報を、当該搭乗者の識別情報と対応付けて取得する第１の取得装置と、
第２の空港に設置され、当該第２の空港で航空機に搭乗する搭乗者それぞれについての感染情報を検出し、当該検出した感染情報を、当該搭乗者の識別情報と対応付けて取得する第２の取得装置と、
搭乗者の識別情報と当該搭乗者が搭乗する航空機の便名を特定する情報とを対応付ける搭乗者情報と、航空機の便名を特定する情報と当該航空機の出発地及び到着地を特定する情報とを対応付けるフライト情報と、を記憶する記憶部と、
前記第２の取得装置で取得された感染情報から、前記記憶部に記憶される搭乗者情報と前記記憶部に記憶されるフライト情報とに基づいて、前記第１の空港に到着する搭乗者についての感染情報を抽出し、当該抽出した感染情報と、前記第１の取得装置で取得された感染情報とに基づいて、前記第１の空港における、伝染性の病気に感染する危険度を示す感染危険度を評価し、評価結果を出力する制御部と、を備える
感染情報評価システム。
【請求項２】
前記制御部は、前記抽出した感染情報と、前記第１の取得装置で取得された感染情報とに基づいて、前記第１の空港の少なくとも一部の領域に存在する人物のうちの、伝染性の病気に感染している確率が比較的高い旨を示す所定の条件を満たす示す感染情報に対応付けられている人物の割合を推定し、当該推定した割合に応じて、当該推定した割合に対して前記危険度が単調増加するように、前記評価を行う
請求項１に記載の感染情報評価システム。
【請求項３】
前記搭乗者情報と前記フライト情報とに基づいて、前記第１の空港に到着する一の航空機に搭乗する搭乗者を特定し、当該一の航空機に搭乗する搭乗者についての感染情報の中に、伝染性の病気に感染している確率が比較的高い旨を示す所定の条件を満たす第１種感染情報が存在する場合に、当該一の航空機に搭乗する搭乗者のうちの少なくとも一部の搭乗者についての感染情報のそれぞれを、伝染性の病気に感染している確率がより高くなる旨を示すように更新する更新部を備え、
前記制御部は、前記更新部によって更新された感染情報については、当該更新された感染情報を用いて、前記評価を行う
請求項１又は請求項２に記載の感染情報評価システム。
【請求項４】
前記搭乗者情報は、搭乗者の識別情報と当該搭乗者が搭乗する航空機の便名を特定する情報とに加えて、当該搭乗者の座席の位置を特定する情報とを対応付ける情報であり、
前記更新部は、前記搭乗者情報に基づいて、前記第１種感染情報に対応付けられている搭乗者の座席と所定の位置関係にある座席の搭乗者についての感染情報を、前記少なくとも一部の搭乗者についての感染情報として特定する
請求項３に記載の感染情報評価システム。
【請求項５】
前記フライト情報は、航空機便名を特定する情報と当該航空機の出発地及び到着地を特定する情報とに加えて、当該航空機のフライト時間を特定する情報とを対応付ける情報であり、
前記更新部は、前記フライト情報に基づいて、前記一の航空機のフライト時間を特定し、当該特定したフライト時間に基づいて、前記更新を行う
請求項３又は請求項４に記載の感染情報評価システム。
【請求項６】
前記第１の空港に設置され、前記制御部から出力される評価結果に基づいて動作する空気浄化装置を備える
請求項１から請求項５のいずれか１項に記載の感染情報評価システム。
【請求項７】
前記感染情報は、インフルエンザに感染している可能性を示す情報である
請求項１から請求項６のいずれか１項に記載の感染情報評価システム。
【請求項８】
第１の空港で検出された、当該第１の空港で航空機に搭乗する搭乗者それぞれについての、伝染性の病気に感染している可能性を示す感染情報を、当該搭乗者の識別情報と対応付けて取得する第１の取得部と、
第２の空港で検出された、当該第２の空港で航空機に搭乗する搭乗者それぞれについての感染情報を、当該搭乗者の識別情報と対応付けて取得する第２の取得部と、
搭乗者の識別情報と当該搭乗者が搭乗する航空機の便名を特定する情報とを対応付ける搭乗者情報と、航空機便名を特定する情報と当該航空機の出発地及び到着地を特定する情報とを対応付けるフライト情報と、を記憶する記憶部と、
前記第２の取得部で取得された感染情報から、前記記憶部に記憶される搭乗者情報と前記記憶部に記憶されるフライト情報とに基づいて、前記第１の空港に到着する搭乗者についての感染情報を抽出し、当該抽出した感染情報と、前記第１の取得部で取得された感染情報とに基づいて、前記第１の空港における、伝染性の病気に感染する危険度を示す感染危険度を評価し、評価結果を出力する制御部と、を備える
サーバ装置。
【請求項９】
第１の空港で航空機に搭乗する搭乗者それぞれについての、伝染性の病気に感染している可能性を示す感染情報を検出し、当該検出した感染情報を、当該搭乗者の識別情報と対応付けて取得する第１の取得ステップと、
第２の空港で航空機に搭乗する搭乗者それぞれについての感染情報を検出し、当該検出した感染情報を、当該搭乗者の識別情報と対応付けて取得する第２の取得ステップと、
前記第２の取得ステップにより取得された感染情報から、搭乗者の識別情報と当該搭乗者が搭乗する航空機の便名を特定する情報とを対応付ける搭乗者情報と、航空機便名を特定する情報と当該航空機の出発地及び到着地を特定する情報とを対応付けるフライト情報と、に基づいて、前記第１の空港に到着する搭乗者についての感染情報を抽出し、当該抽出した感染情報と、前記第１の取得ステップにより取得された感染情報とに基づいて、前記第１の空港における、伝染性の病気に感染する危険度を示す感染危険度を評価し、評価結果を出力する制御ステップと、を備える
感染情報評価方法。
【発明の詳細な説明】
【技術分野】
【０００１】
本開示は、空港における、伝染性の病気への感染の拡大を抑制するシステムに関する。
【背景技術】
【０００２】
従来、伝染性の病気への感染の拡大を抑制するための技術が知られている（例えば、特許文献１、特許文献２参照）。
【先行技術文献】
【特許文献】
【０００３】
【特許文献１】特開２０１７−２９２１９号公報
【特許文献２】特開２００９−３１８８７号公報
【発明の概要】
【発明が解決しようとする課題】
【０００４】
本発明は、空港における、伝染性の病気への感染の拡大を、従来よりも効果的に抑制し得る感染情報評価システム、サーバ装置、及び感染情報評価方法を提供することを目的とする。
【課題を解決するための手段】
【０００５】
本開示の一態様に係る感染情報評価システムは、第１の空港に設置され、当該第１の空港で航空機に搭乗する搭乗者それぞれについての、伝染性の病気に感染している可能性を示す感染情報を検出し、当該検出した感染情報を、当該搭乗者の識別情報と対応付けて取得する第１の取得装置と、第２の空港に設置され、当該第２の空港で航空機に搭乗する搭乗者それぞれについての感染情報を検出し、当該検出した感染情報を、当該搭乗者の識別情報と対応付けて取得する第２の取得装置と、搭乗者の識別情報と当該搭乗者が搭乗する航空機の便名を特定する情報とを対応付ける搭乗者情報と、航空機の便名を特定する情報と当該航空機の出発地及び到着地を特定する情報とを対応付けるフライト情報と、を記憶する記憶部と、前記第２の取得装置で取得された感染情報から、前記記憶部に記憶される搭乗者情報と前記記憶部に記憶されるフライト情報とに基づいて、前記第１の空港に到着する搭乗者についての感染情報を抽出し、当該抽出した感染情報と、前記第１の取得装置で取得された感染情報とに基づいて、前記第１の空港における、伝染性の病気に感染する危険度を示す感染危険度を評価し、評価結果を出力する制御部と、を備える。
【０００６】
また、本開示の一態様に係るサーバ装置は、第１の空港で検出された、当該第１の空港で航空機に搭乗する搭乗者それぞれについての、伝染性の病気に感染している可能性を示す感染情報を、当該搭乗者の識別情報と対応付けて取得する第１の取得部と、第２の空港で検出された、当該第２の空港で航空機に搭乗する搭乗者それぞれについての感染情報を、当該搭乗者の識別情報と対応付けて取得する第２の取得部と、搭乗者の識別情報と当該搭乗者が搭乗する航空機の便名を特定する情報とを対応付ける搭乗者情報と、航空機便名を特定する情報と当該航空機の出発地及び到着地を特定する情報とを対応付けるフライト情報と、を記憶する記憶部と、前記第２の取得部で取得された感染情報から、前記記憶部に記憶される搭乗者情報と前記記憶部に記憶されるフライト情報とに基づいて、前記第１の空港に到着する搭乗者についての感染情報を抽出し、当該抽出した感染情報と、前記第１の取得部で取得された感染情報とに基づいて、前記第１の空港における、伝染性の病気に感染する危険度を示す感染危険度を評価し、評価結果を出力する制御部と、を備える。
【０００７】
また、本開示の一態様に係る感染情報評価方法は、第１の空港で航空機に搭乗する搭乗者それぞれについての、伝染性の病気に感染している可能性を示す感染情報を検出し、当該検出した感染情報を、当該搭乗者の識別情報と対応付けて取得する第１の取得ステップと、第２の空港で航空機に搭乗する搭乗者それぞれについての感染情報を検出し、当該検出した感染情報を、当該搭乗者の識別情報と対応付けて取得する第２の取得ステップと、前記第２の取得ステップにより取得された感染情報から、搭乗者の識別情報と当該搭乗者が搭乗する航空機の便名を特定する情報とを対応付ける搭乗者情報と、航空機便名を特定する情報と当該航空機の出発地及び到着地を特定する情報とを対応付けるフライト情報と、に基づいて、前記第１の空港に到着する搭乗者についての感染情報を抽出し、当該抽出した感染情報と、前記第１の取得ステップにより取得された感染情報とに基づいて、前記第１の空港における、伝染性の病気に感染する危険度を示す感染危険度を評価し、評価結果を出力する制御ステップと、を備える。
【発明の効果】
【０００８】
本開示の一態様に係る感染情報評価システム、サーバ装置、及び感染情報評価方法によれば、空港における、伝染性の病気への感染の拡大を、従来よりも効果的に抑制し得る。
【図面の簡単な説明】
【０００９】
【図１】図１は、実施の形態に係る感染情報評価システムの構成例を示すブロック図である。
【図２】図２は、実施の形態に係る取得装置が空港に設置される様子の一例を示す模式図である。
【図３】図３は、実施の形態に係る感染情報の一例を示すデータ構成図である。
【図４】図４は、実施の形態に係る感染可能性レベル対応表の一例を示すデータ構成図である。
【図５】図５は、実施の形態に係る搭乗者情報の一例を示すデータ構成図である。
【図６】図６は、実施の形態に係るフライト情報の一例を示すデータ構成図である。
【図７】図７は、実施の形態に係る、第１の空港における危険度テーブルの一例を示すデータ構成図である。
【図８】図８は、実施の形態に係る危険度評価表の一例を示すデータ構成図である。
【図９】図９は、実施の形態に係る航空機感染テーブルの一例を示すデータ構成図である。
【図１０】図１０は、実施の形態に係る感染危険度処理のフローチャートである。
【図１１】図１１は、実施の形態に係る感染情報更新処理のフローチャートである。
【発明を実施するための形態】
【００１０】
本開示の一態様に係る感染評価システムは、第１の空港に設置され、当該第１の空港で航空機に搭乗する搭乗者それぞれについての、伝染性の病気に感染している可能性を示す感染情報を検出し、当該検出した感染情報を、当該搭乗者の識別情報と対応付けて取得する第１の取得装置と、第２の空港に設置され、当該第２の空港で航空機に搭乗する搭乗者それぞれについての感染情報を検出し、当該検出した感染情報を、当該搭乗者の識別情報と対応付けて取得する第２の取得装置と、搭乗者の識別情報と当該搭乗者が搭乗する航空機の便名を特定する情報とを対応付ける搭乗者情報と、航空機の便名を特定する情報と当該航空機の出発地及び到着地を特定する情報とを対応付けるフライト情報と、を記憶する記憶部と、前記第２の取得装置で取得された感染情報から、前記記憶部に記憶される搭乗者情報と前記記憶部に記憶されるフライト情報とに基づいて、前記第１の空港に到着する搭乗者についての感染情報を抽出し、当該抽出した感染情報と、前記第１の取得装置で取得された感染情報とに基づいて、前記第１の空港における、伝染性の病気に感染する危険度を示す感染危険度を評価し、評価結果を出力する制御部と、を備える。
【００１１】
上記構成の感染評価システムは、第１の空港における感染危険度の評価を、第１の空港で航空機に搭乗する搭乗者についての感染情報に基づいて行うだけでなく、第１の空港に到着する搭乗者についての感染情報にも基づいて行う。このため、上記構成の感染評価システムによると、空港における、伝染性の病気への感染の拡大を、従来よりも効果的に抑制し得る。
【００１２】
また、前記制御部は、前記抽出した感染情報と、前記第１の取得装置で取得された感染情報とに基づいて、前記第１の空港の少なくとも一部の領域に存在する人物のうちの、伝染性の病気に感染している確率が比較的高い旨を示す所定の条件を満たす示す感染情報に対応付けられている人物の割合を推定し、当該推定した割合に応じて、当該推定した割合に対して前記危険度が単調増加するように、前記評価を行うとしてもよい。
【００１３】
これにより、この感染評価システムは、伝染性の病気に感染している確率が比較的高い人物の割合がより高い程、より危険度が高くなるように、感染危険度の評価を行うことができる。
【００１４】
また、前記搭乗者情報と前記フライト情報とに基づいて、前記第１の空港に到着する一の航空機に搭乗する搭乗者を特定し、当該一の航空機に搭乗する搭乗者についての感染情報の中に、伝染性の病気に感染している確率が比較的高い旨を示す所定の条件を満たす第１種感染情報が存在する場合に、当該一の航空機に搭乗する搭乗者のうちの少なくとも一部の搭乗者についての感染情報のそれぞれを、伝染性の病気に感染している確率がより高くなる旨を示すように更新する更新部を備え、前記制御部は、前記更新部によって更新された感染情報については、当該更新された感染情報を用いて、前記評価を行うとしてもよい。
【００１５】
これにより、この感染評価システムは、搭乗者Ａが搭乗する航空機に、伝染性の病気に感染している確率が比較的高い搭乗者Ｂが搭乗している場合に、その病気が搭乗者Ａにうつってしまう可能性を、搭乗者Ａについての感染情報に反映させることができる。
【００１６】
また、前記搭乗者情報は、搭乗者の識別情報と当該搭乗者が搭乗する航空機の便名を特定する情報とに加えて、当該搭乗者の座席の位置を特定する情報とを対応付ける情報であり、前記更新部は、前記搭乗者情報に基づいて、前記第１種感染情報に対応付けられている搭乗者の座席と所定の位置関係にある座席の搭乗者についての感染情報を、前記少なくとも一部の搭乗者についての感染情報として特定するとしてもよい。
【００１７】
これにより、この感染評価システムは、搭乗者Ａが搭乗する航空機に、伝染性の病気に感染している確率が比較的高い搭乗者Ｂが搭乗している場合に、その病気が搭乗者Ａにうつってしまう可能性を、搭乗者Ａの座席と搭乗者Ｂの座席との位置関係に応じて、搭乗者Ａについての感染情報に反映させることができる。
【００１８】
また、前記フライト情報は、航空機便名を特定する情報と当該航空機の出発地及び到着地を特定する情報とに加えて、当該航空機のフライト時間を特定する情報とを対応付ける情報であり、前記更新部は、前記フライト情報に基づいて、前記一の航空機のフライト時間を特定し、当該特定したフライト時間に基づいて、前記更新を行うとしてもよい。
【００１９】
これにより、この感染評価システムは、搭乗者Ａが搭乗する航空機に、伝染性の病気に感染している確率が比較的高い搭乗者Ｂが搭乗している場合に、その病気が搭乗者Ａにうつってしまう可能性を、その航空機のフライト時間に応じて、搭乗者Ａについての感染情報に反映させることができる。
【００２０】
また、前記第１の空港に設置され、前記制御部から出力される評価結果に基づいて動作する空気浄化装置を備えるとしてもよい。
【００２１】
これにより、この感染評価システムは、感染危険度に応じた空気の浄化を行うことができる。
【００２２】
また、前記感染情報は、インフルエンザに感染している可能性を示す情報であるとしてもよい。
【００２３】
これにより、この感染評価システムは、インフルエンザへの感染の拡大を抑止することができる。
【００２４】
本開示の一態様に係るサーバ装置は、第１の空港で検出された、当該第１の空港で航空機に搭乗する搭乗者それぞれについての、伝染性の病気に感染している可能性を示す感染情報を、当該搭乗者の識別情報と対応付けて取得する第１の取得部と、第２の空港で検出された、当該第２の空港で航空機に搭乗する搭乗者それぞれについての感染情報を、当該搭乗者の識別情報と対応付けて取得する第２の取得部と、搭乗者の識別情報と当該搭乗者が搭乗する航空機の便名を特定する情報とを対応付ける搭乗者情報と、航空機便名を特定する情報と当該航空機の出発地及び到着地を特定する情報とを対応付けるフライト情報と、を記憶する記憶部と、前記第２の取得部で取得された感染情報から、前記記憶部に記憶される搭乗者情報と前記記憶部に記憶されるフライト情報とに基づいて、前記第１の空港に到着する搭乗者についての感染情報を抽出し、当該抽出した感染情報と、前記第１の取得部で取得された感染情報とに基づいて、前記第１の空港における、伝染性の病気に感染する危険度を示す感染危険度を評価し、評価結果を出力する制御部と、を備える。
【００２５】
上記構成のサーバ装置は、第１の空港における感染危険度の評価を、第１の空港で航空機に搭乗する搭乗者についての感染情報に基づいて行うだけでなく、第１の空港に到着する搭乗者についての感染情報にも基づいて行う。このため、上記構成のサーバ装置によると、空港における、伝染性の病気への感染の拡大を、従来よりも効果的に抑制し得る。
【００２６】
本開示の一態様に係る感染情報評価方法は、第１の空港で航空機に搭乗する搭乗者それぞれについての、伝染性の病気に感染している可能性を示す感染情報を検出し、当該検出した感染情報を、当該搭乗者の識別情報と対応付けて取得する第１の取得ステップと、第２の空港で航空機に搭乗する搭乗者それぞれについての感染情報を検出し、当該検出した感染情報を、当該搭乗者の識別情報と対応付けて取得する第２の取得ステップと、前記第２の取得ステップにより取得された感染情報から、搭乗者の識別情報と当該搭乗者が搭乗する航空機の便名を特定する情報とを対応付ける搭乗者情報と、航空機便名を特定する情報と当該航空機の出発地及び到着地を特定する情報とを対応付けるフライト情報と、に基づいて、前記第１の空港に到着する搭乗者についての感染情報を抽出し、当該抽出した感染情報と、前記第１の取得ステップにより取得された感染情報とに基づいて、前記第１の空港における、伝染性の病気に感染する危険度を示す感染危険度を評価し、評価結果を出力する制御ステップと、を備える。
【００２７】
上記感染情報評価方法は、第１の空港における感染危険度の評価を、第１の空港で航空機に搭乗する搭乗者についての感染情報に基づいて行うだけでなく、第１の空港に到着する搭乗者についての感染情報にも基づいて行う。このため、上記感染情報評価方法によると、空港における、伝染性の病気への感染の拡大を、従来よりも効果的に抑制し得る。
【００２８】
以下、本開示の一態様に係る感染情報評価システムの具体例について、図面を参照しながら説明する。ここで示す実施の形態は、いずれも本開示の一具体例を示すものである。従って、以下の実施の形態で示される数値、形状、構成要素、構成要素の配置及び接続形態、並びに、ステップ（工程）及びステップの順序等は、一例であって本開示を限定するものではない。以下の実施の形態における構成要素のうち、独立請求項に記載されていない構成要素については、任意に付加可能な構成要素である。また、各図は、模式図であり、必ずしも厳密に図示されたものではない。
【００２９】
なお、本開示の包括的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【００３０】
（実施の形態）
［感染情報評価システムの構成］
図１は、実施の形態に係る感染情報評価システム１の構成例を示すブロック図である。
【００３１】
図１に示されるように、感染情報評価システム１は、第１の空港に設置された、第１の取得装置１０Ａ、空気浄化装置３０Ａ１、及び空気浄化装置３０Ａ２と、第２の空港に設置された、第２の取得装置１０Ｂ、空気浄化装置３０Ｂ１、及び空気浄化装置３０Ｂ２と、サーバ装置２０と、ネットワーク４０とを備える。
【００３２】
第１の取得装置１０Ａは、検出器１１Ａと、読み取り器１２Ａと、通信部１４Ａを含む制御装置１３Ａとを備える。
【００３３】
第２の取得装置１０Ｂは、検出器１１Ｂと、読み取り器１２Ｂと、通信部１４Ｂを含む制御装置１３Ｂとを備える。
【００３４】
第１の取得装置１０Ａと第２の取得装置１０Ｂとは、互いに同様の機能を有する。このため、以下では、第１の取得装置１０Ａと第２の取得装置１０Ｂとを区別して説明する必要がある場合等を除いて、第１の取得装置１０Ａと第２の取得装置１０Ｂとを、取得装置１０と称する。同様に、第１の取得装置１０Ａの各構成要素と第２の取得装置１０Ｂの各構成要素とは、互いに同様の機能を有する。このため、以下では、各構成要素を区別して説明する必要がある場合等を除いて、検出器１１Ａと検出器１１Ｂとを検出器１１と称し、読み取り器１２Ａと読み取り器１２Ｂとを読み取り器１２と称し、制御装置１３Ａと制御装置１３Ｂとを制御装置１３と称し、通信部１４Ａと通信部１４Ｂとを通信部１４と称する。
【００３５】
空気浄化装置３０Ａ１と空気浄化装置３０Ａ２と空気浄化装置３０Ｂ１と空気浄化装置３０Ｂ２とは、互いに同様の機能を有する。このため、以下では、空気浄化装置３０Ａ１と空気浄化装置３０Ａ２と空気浄化装置３０Ｂ１と空気浄化装置３０Ｂ２とを区別して説明する必要がある場合を除いて、空気浄化装置３０Ａ１と空気浄化装置３０Ａ２と空気浄化装置３０Ｂ１と空気浄化装置３０Ｂ２とを空気浄化装置３０と称する。同様に、通信部３１Ａ１と通信部３１Ａ２と通信部３１Ｂ１と通信部３１Ｂ２とは、互いに同様の機能を有する。このため、以下では、これらを区別して説明する必要がある場合等を除いて、通信部３１Ａ１と通信部３１Ａ２と通信部３１Ｂ１と通信部３１Ｂ２とを通信部３１と称する。
【００３６】
図２は、取得装置１０が空港に設置される様子の一例を示す模式図である。ここでは、空港には、これから航空機に搭乗する搭乗者の保安上の検査を行う保安検査場５００と、出発と到着とのゲートを兼ねる第１ゲート５１０及び第２ゲート５２０と、第１ゲート５１０を利用する利用者が待合として利用する第１ゲート待合室５１１と、第２ゲート５２０を利用する利用者が待合として利用する第２ゲート待合室５２１との施設を備えるとして説明する。また、第１の空港及び第２の空港は、図２に例示された上記空港に該当する空港であるとして説明する。
【００３７】
保安検査場５００には、保安上の検査を行うための、金属探知ゲート５０１と、手荷物レーン５０２と、Ｘ線検査機５０４と、手荷物レーン５０３とに加えて、検出器１１と、読み取り器１２と、制御装置１３と、空気浄化装置３０とが設置されている。
【００３８】
検出器１１は、航空機に搭乗する搭乗者に対して健康状態に関する物理量を検出する。
【００３９】
検出器１１は、例えば、物理量として搭乗者の体温を検出する接触型又は非接触型の体温センサであってよい。接触型の体温センサは、例えば、熱電対を利用した体温計によって実現されてよい。非接触型の体温センサは、例えば、赤外線を利用する放射体温計測センサによって実現されてよい。
【００４０】
検出器１１は、例えば、物理量として、搭乗者に付着する、又は搭乗者から放出されるウイルスのウイルス濃度を検出するウイルス濃度検出器であってよい。ウイルス濃度検出器は、例えば、搭乗者の咽頭、鼻腔等から滅菌綿棒等の検体採取器具を使用してウイルスを採取する手段、鼻腔吸引液等を用いる手段、又は、ポンプを用いて搭乗者の呼気を吸引し捕獲液又はフィルタを用いてウイルスを捕獲する手段等で収集したウイルスに対して、ＰＣＭ法（ポリメラーゼ連鎖反応法）にてウイルスの遺伝子断片を高感度に検出する手段、又は、抗原抗体反応と、増強ラマン散乱法又は蛍光分光法とを組み合わせて、ウイルス濃度を検出する手段を適用することで実現されてよい。
【００４１】
ウイルス濃度検出器は、対象とするウイルスを、伝染性の病気の原因となるウイルスとするものが好ましい。伝染性の病気の原因となるウイルスとして、例えば、インフルエンザウイルスが好ましい。
【００４２】
また、検出器１１は、健康状態に関する他の物理量を検出する検出器であってもよいし、上記体温センサと、上記ウイルス濃度検出器と、健康状態に関する他の物理量を検出する検出器のうちの２つ以上を含んで構成されてもよい。
【００４３】
検出器１１は、上記物理量の検出を、比較的短時間（例えば、２０分程度）に行う装置であることが好ましい。
【００４４】
ここでは、以下、検出器１１は、体温センサとウイルス濃度検出器とを含んで構成され、搭乗者の体温とウイルス濃度とを検出するとして説明する。
【００４５】
読み取り器１２は、航空機に搭乗する搭乗者に対して、航空機に搭乗するための搭乗券から、搭乗者の識別情報を含む、航空機の搭乗に関する情報を読み取る。
【００４６】
読み取り器１２は、例えば、搭乗券に印刷されたＱＲコード（登録商標）から上記情報を読み取るＱＲコード（登録商標）リーダであってよい。
【００４７】
読み取り器１２は、例えば、外部の航空会社のサーバ装置（図示されず）等と通信して、読み取った情報と、航空会社のデータベースに記憶されている情報とを照合することで、読み取った情報の正当性を確認するとしてもよい。
【００４８】
搭乗者の識別情報は、例えば、搭乗者の氏名であってよい。ここでは、以下、搭乗者の識別情報が、搭乗者の氏名であるとして説明する。しかしながら、搭乗者の識別情報は、必ずしも、搭乗者の氏名に限定される必要はない。例えば、搭乗者の識別情報は、搭乗者を識別することができる、アルファベットと数字との組み合わせからなる文字列等であっても構わない。
【００４９】
また、検出器１１と読み取り器１２との設置場所は、航空機に搭乗する搭乗者が、航空機に搭乗する前に必ず通過する場所に設置されることが好ましい。ここでは、検出器１１と読み取り器１２との設置場所は、空機に搭乗する搭乗者が、航空機に搭乗する前に必ず通過する場所である保安検査場５００であるとして説明する。しかしながら、検出器１１と読み取り器１２との設置場所は、空機に搭乗する搭乗者が、航空機に搭乗する前に必ず通過する場所であれば、必ずしも、保安検査場５００に限定される必要はない。
【００５０】
制御装置１３は、検出器１１によって検出された、搭乗者の健康状態に関する物理量と、読み取り器１２によって読み取られた、その搭乗者の識別情報とから、その搭乗者についての、伝染性の病気に感染している可能性を示す感染情報を生成する。例えば、検出器１１のウイルス濃度検出器の対象とするウイルスがインフルエンザウイルスである場合には、感染情報は、搭乗者がインフルエンザに感染している可能性を示す情報となる。
【００５１】
図３は、制御装置１３が生成する感染情報の一例を示すデータ構成図である。
【００５２】
図３に示されるように、感染情報は、搭乗者の識別情報である氏名と、その搭乗者のウイルス濃度と、その搭乗者の体温と、その搭乗者の感染可能性レベルと、その搭乗者に対して健康状態に関する物理量を検出した検出日時とが対応付けられて構成される。
【００５３】
ここで、感染可能性レベルは、搭乗者が伝染性の病気に感染している確率に関する、レベル０〜レベル３の４段階からなる指標であるとする。例えば、レベル０及びレベル１は、伝染性の病気に感染している確率が比較的低い旨を示す指標であってよい。特にレベル０は、伝染性の病気に感染している確率がほぼ０％である旨を示す指標であってよい。また、レベル２及びレベル３は、伝染性の病気に感染している確率が比較的高い旨を示す指標であってよい。特にレベル３は、伝染性の病気に感染している確率がほぼ１００％である旨を示す指標であってよい。ここでは、以下、感染可能性レベルは、レベル０〜レベル３の４段階からなる指標であるとして説明するが、感染可能性レベルは、搭乗者が伝染性の病気に感染している可能性を示す情報であれば、必ずしも上記４段階からなる指標に限定される必要はない。例えば、４段階以外の数の段階からなる指標であっても構わないし、より数値が大きい程より感染している可能性が高い旨を示す、０〜１までのシームレスな数値であっても構わない。
【００５４】
制御装置１３は、例えば、検出器１１によって検出された、搭乗者の体温及びウイルス濃度に基づいて、感染可能性レベルを算出する。制御装置１３は、例えば、体温とウイルス濃度と感染可能性レベルとの対応関係を規定する感染可能性レベル対応表を記憶し、記憶する感染可能性レベル対応表を参照して、検出器１１によって検出された搭乗者の体温及びウイルス濃度から、感染可能性レベルを算出するとしてよい。
【００５５】
図４は、制御装置１３が記憶する感染可能性レベル対応表の一例を示すデータ構成図である。
【００５６】
図４に示されるように、感染可能性レベル対応表は、感染可能性レベルと、ウイルス濃度と、体温とが対応付けられて構成される。図４に示されるように、感染可能性レベル対応表は、ウイルス濃度が有意な値未満であり、かつ、体温が３７度未満である搭乗者の感染可能性レベルをレベル０であると規定し、ウイルス濃度が有意な値未満であり、かつ、体温が３７度以上である搭乗者の感染可能性レベルをレベル１であると規定し、ウイルス濃度が有意な値以上であり、かつ、体温が３７度未満である搭乗者の感染可能性レベルをレベル２であると規定し、ウイルス濃度が有意な値以上であり、かつ、体温が３７度以上である搭乗者の感染可能性レベルをレベル３であると規定する対応表であってよい。
【００５７】
制御装置１３は、ネットワーク４０に接続される通信部１４を含み、ネットワーク４０に接続される他の機器と通信する。他の機器には、サーバ装置２０が含まれる。
【００５８】
制御装置１３は、例えば、プロセッサとメモリと通信回路と入力装置と出力装置とを備えるパソコンによって実現される。この場合、制御装置１３は、メモリに記憶されるプログラムをプロセッサが実行することで、各種機能を実現する。
【００５９】
上記構成の第１の取得装置１０Ａは、第１の空港の、例えば、保安検査場５００に設置されることで、第１の空港で航空機に搭乗する搭乗者それぞれについての、伝染性の病気に感染している可能性を示す感染情報を検出し、当該検出した感染情報を、当該搭乗者の識別情報と対応付けて取得する。
【００６０】
上記構成の第２の取得装置１０Ｂは、第２の空港の、例えば、保安検査場５００に設置されることで、第２の空港で航空機に搭乗する搭乗者それぞれについての、伝染性の病気に感染している可能性を示す感染情報を検出し、当該検出した感染情報を、当該搭乗者の識別情報と対応付けて取得する。
【００６１】
空気浄化装置３０は、設置された場所の周囲の空気を浄化する。空気浄化装置３０は、例えば、伝染性の病気の原因となるウイルスを死滅させる物質、例えば、人体に影響がない程度に希釈された次亜塩素酸水を空気中に霧状に散布する装置である。空気浄化装置３０は、例えば、その動作モードとして、物質の噴霧における単位時間当たりの噴霧量に応じて、単位時間当たりの噴霧量が少ない方から順に、弱動作、中動作、強動作の３つの動作モードを有する。
【００６２】
空気浄化装置３０は、ネットワーク４０に接続される通信部３１を含み、ネットワーク４０に接続される他の機器と通信する。他の機器には、サーバ装置２０が含まれる。空気浄化装置３０は、サーバ装置２０と通信することで、サーバ装置２０から出力される評価結果に基づいて動作する。サーバ装置２０による評価結果の出力については、後述する。空気浄化装置３０は、例えば、サーバ装置２０から出力される評価結果に応じて、その動作モードを変更する。
【００６３】
図２に示されるように、空気浄化装置３０は、空港において、例えば、保安検査場５００、第１ゲート待合室５１１、第２ゲート待合室５１２等に設置される。保安検査場５００に設置された空気浄化装置３０は、主に、保安検査場５００内の空気を浄化し、第１ゲート待合室５１１に設置された空気浄化装置３０は、主に、第１ゲート待合室５１１内の空気を浄化し、第２ゲート待合室５１２に設置された空気浄化装置３０は、主に、第２ゲート待合室５１２内の空気を浄化する。
【００６４】
サーバ装置２０は、第１の取得部２１と、第２の取得部２２と、通信部２３と、制御部２４と、更新部２５と、記憶部２６とを備える。サーバ装置２０は、例えば、プロセッサとメモリとハードディスクドライブと通信回路と入力装置と出力装置とを備えるパソコンによって実現される。この場合、サーバ装置２０は、メモリに記憶されるプログラムをプロセッサが実行することで、各種機能を実現する。
【００６５】
通信部２３は、ネットワーク４０に接続され、ネットワーク４０に接続される他の機器と通信する。他の機器には、取得装置１０、空気浄化装置３０が含まれる。
【００６６】
第１の取得部２１は、通信部２３を介して第１の取得装置１０Ａと通信し、第１の取得装置１０Ａによって生成された感染情報を取得する。すなわち、第１の取得部２１は、第１の空港で検出された、第１の空港で航空機に搭乗する搭乗者それぞれについての、伝染性の病気に感染している可能性を示す感染情報を、当該搭乗者の識別情報と対応付けて取得する。
【００６７】
第２の取得部２２は、通信部２３を介して第２の取得装置１０Ｂと通信し、第２の取得装置１０Ｂによって生成された感染情報を取得する。すなわち、第２の取得部２２は、第２の空港で検出された、第２の空港で航空機に搭乗する搭乗者それぞれについての、伝染性の病気に感染している可能性を示す感染情報を、当該搭乗者の識別情報と対応付けて取得する。
【００６８】
なお、第１の空港、第２の空港以外に、ｎ−２（ｎは３以上の整数）箇所の空港が存在する場合には、サーバ装置２０は、それぞれの空港の数だけ、第ｎの空港で検出された、第ｎの空港で航空機に搭乗する搭乗者それぞれについての、伝染性の病気に感染している可能性を示す感染情報を、当該搭乗者の識別情報と対応付けて取得する第ｎの取得部を備えているとしてもよい。
【００６９】
記憶部２６は、搭乗者の識別情報とその搭乗者が搭乗する航空機の便名を特定する情報とを対応付ける搭乗者情報と、航空機の便名を特定する情報とその航空機の出発地及び到着地を特定する情報とを対応付けるフライト情報とを記憶する。
【００７０】
図５は、記憶部２６が記憶する搭乗者情報の一例を示すデータ構成図である。
【００７１】
図５に示されるように、搭乗者情報は、航空機の便名と、座席名と、搭乗者の氏名とが対応付けられて構成される。このように、搭乗者情報は、搭乗者の識別情報とその搭乗者が搭乗する航空機の便名を特定する情報とに加えて、その搭乗者の座席の位置を特定する情報とを対応付ける情報であってもよい。
【００７２】
図６は、記憶部２６が記憶するフライト情報の一例を示すデータ構成図である。
【００７３】
図６に示されるように、フライト情報は、航空機の便名と、出発地と、出発地のゲート番号と、到着地と、到着地のゲート番号と、出発日時と、到着日時とが対応付けられて構成される。このように、フライト情報は、航空機便名を特定する情報と当該航空機の出発地及び到着地を特定する情報とに加えて、当該航空機のフライト時間を特定する情報とを対応付ける情報であってもよい。
【００７４】
制御部２４は、第２の取得部２２で取得された感染情報（すなわち、第２の取得装置１０Ｂで取得された感染情報）から、記憶部２６に記憶される搭乗者情報とフライト情報とに基づいて、第１の空港に到着する搭乗者についての感染情報を抽出する。そして、制御部２４は、抽出した感染情報と、前記第１の取得部で取得された感染情報とに基づいて、第１の空港における危険度テーブルを生成する。
【００７５】
図７は、制御部２４が生成する、第１の空港における危険度テーブルの一例を示すデータ構成図である。
【００７６】
図７に示されるように、第１の空港における危険度テーブルは、ゲート名７０と、保安検査場通過者人数７１と、既搭乗者人数７２と、待機者人数７３と、待機者中レベル２以上の人数７４と、待機者中レベル２未満の人数７５と、到着便搭乗者（到着者）人数７６と、到着者中レベル２以上の人数７７と、到着者中レベル２未満の人数７８と、レベル２以上の人数の割合７９とが対応付けられて構成される。
【００７７】
ゲート名７０は、第１の空港に存在するゲートの名称を示す。
【００７８】
保安検査場通過者人数７１は、保安検査場５００を通過した人物のうち、対応するゲート名７０の示すゲートから航空機に搭乗する人物の人数を示す。
【００７９】
既搭乗者人数７２は、対応するゲート名７０の示すゲートから既に航空機に搭乗した人物の人数を示す。既搭乗者人数７２は、例えば、対応するゲート名７０の示すゲートに設置された、サーバ装置２０と通信可能な検札機から、航空機に搭乗するためにその検札機を通過した人数を、制御部２４が取得することで得られるとしてもよい。また、既搭乗者人数７２は、例えば、対応するゲート名７０の示すゲートで検札する検札員によって、サーバ装置２０と通信可能な情報端末に入力された既搭乗者名簿を、制御部２４が取得することで得られるとしてもよい。
【００８０】
待機者人数７３は、対応するゲート名７０の示すゲートについて、保安検査場通過者人数７１から既搭乗者人数７２を引いた人数である。すなわち、待機者人数７３は、対応するゲート名７０の示すゲートから航空機に搭乗する人物のうち、保安検査場５００を通過したものの、未だ航空機に搭乗していない人物（以下、「待機者」ともいう。）の人数を示す。
【００８１】
待機者中レベル２以上の人数７４は、待機者のうち、待機者についての感染情報の感染可能性レベルが「レベル２」以上である人物の人数を示す。
【００８２】
待機者中レベル２未満の人数７５は、待機者のうち、待機者についての感染情報の感染可能性レベルが「レベル２」未満である人物の人数を示す。
【００８３】
保安検査場通過者人数７１と、既搭乗者人数７２と、待機者人数７３と、待機者中レベル２以上の人数７４と、待機者中レベル２未満の人数７５とは、例えば、所定時間Ｔ１（例えば、１分）毎に更新されるとしてもよい。また、保安検査場通過者人数７１と、既搭乗者人数７２と、待機者人数７３と、待機者中レベル２以上の人数７４と、待機者中レベル２未満の人数７５とは、例えば、既に出発した航空機に搭乗する人物が除外された人数であるとしてもよい。
【００８４】
到着便搭乗者（到着者）人数７６は、対応するゲート名７０の示すゲートに到着する航空機に搭乗する搭乗者（以下、「到着者」ともいう。）の人数を示す。
【００８５】
到着者中レベル２以上の人数７７は、到着者のうち、到着者についての感染情報の感染可能性レベルが「レベル２」以上である人物の人数を示す。
【００８６】
到着者中レベル２未満の人数７８は、到着者のうち、到着者についての感染情報の感染可能性レベルが「レベル２」未満である人物の人数を示す。
【００８７】
到着便搭乗者（到着者）人数７６と、到着者中レベル２以上の人数７７と、到着者中レベル２未満の人数７８とは、例えば、所定時間Ｔ２（例えば、１分）毎に更新されるとしてもよい。また、到着便搭乗者（到着者）人数７６と、到着者中レベル２以上の人数７７と、到着者中レベル２未満の人数７８とは、例えば、到着してから、所定時間Ｔ３（例えば、３０分）以上経過した人物が除外された人数であるとしてもよい。
【００８８】
レベル２以上の人数の割合７９は、対応するゲート名７０の示すゲートについて、待機者中レベル２以上の人数７４と、到着者中レベル２以上の人数７７との和を、待機者人数７３と到着便搭乗者（到着者）人数７６との和で除算した値である。すなわち、レベル２以上の人数の割合７９は、対応するゲート名７０の示すゲートを利用する人物のうち、人物についての感染情報の感染可能性レベルが「レベル２」以上である人物の人数を示す。
【００８９】
ここで、第１ゲート５１０に対応する、待機者人数７３と到着便搭乗者（到着者）人数７６との和は、第１ゲート待合室５１１付近にいると推定される人物の人数であると言える。また、第１ゲート５１０に対応する、待機者中レベル２以上の人数７４と、到着者中レベル２以上の人数７７との和は、第１ゲート待合室５１１付近にいると推定される人物のうちの、感染情報の感染可能性レベルが「レベル２」以上である人物の人数であると言える。このため、第１ゲート５１０に対応する、レベル２以上の人数の割合７９は、第１ゲート待合室５１１付近にいる人物のうちの、感染情報の感染可能性レベルが「レベル２」以上である人物の推定される割合を示すと言える。
【００９０】
同様に、第２ゲート５２０に対応する、レベル２以上の人数の割合７９は、第２ゲート待合室５２１付近にいる人物のうちの、感染情報の感染可能性レベルが「レベル２」以上である人物の推定される割合を示すと言える。
【００９１】
制御部２４は、生成した危険度テーブルに基づいて、第１の空港における、伝染性の病気に感染する感染危険度を評価し、評価結果を出力する。
【００９２】
制御部２４は、例えば、危険度評価表を記憶し、記憶する危険度評価表を参照して、第１の空港における感染危険度を評価してよい。
【００９３】
図８は、制御部２４が記憶する危険度評価表の一例を示すデータ構成図である。
【００９４】
図８に示されるように、危険度評価表は、レベル２以上の割合７９と危険度８０とが対応付けられて構成される。より具体的には、レベル２の割合７９に応じて、レベル２の割合７９に対して危険度８０が単調増加するように、レベル２以上の割合７９と危険度８０とが対応付けられている。
【００９５】
制御部２４は、危険度評価表を参照して、第１ゲート５１０（又は第２ゲート５２０）に対応するレベル２以上の人数の割合７９が「０」である場合に、第１の空港における、第１ゲート５１０（又は第２ゲート５２０）についての感染危険度は、「危険度低」であると評価し、第１ゲート５１０（又は第２ゲート５２０）に対応するレベル２以上の人数の割合７９が「０」より大きく「０．０５」より小さい場合に、第１の空港における、第１ゲート５１０（又は第２ゲート５２０）についての感染危険度は、「危険度中」であると評価し、第１ゲート５１０（又は第２ゲート５２０）に対応するレベル２以上の人数の割合７９が「０．０５」以上の場合に、第１の空港における、第１ゲート５１０（又は第２ゲート５２０）についての感染危険度は、「危険度高」であると評価してよい。このように、制御部２４は、第１の空港の少なくとも一部の領域（例えば、第１ゲート待合室５１１付近、又は第２ゲート待合室５２１付近）に存在する人物のうちの、伝染性の病気に感染している確率が比較的高い旨を示す所定の条件（例えば、対応する感染情報の感染可能性レベルがレベル２以上であるという条件。）を満たす示す感染情報に対応付けられている人物の割合を推定し、当該推定した割合に応じて、当該推定した割合に対して危険度が単調増加するように、感染危険度の評価を行ってもよい。
【００９６】
制御部２４は、例えば、評価結果を、第１の空港に設置された空気浄化装置３０のそれぞれに出力する。
【００９７】
例えば、制御部２４が、第１の空港における、第１ゲート５１０についての感染危険度が「危険度低」であるとの評価結果を出力した場合、第１ゲート待合室５１１に設置された空気浄化装置３０は、動作モードを弱動作とし、制御部２４が、第１の空港における、第１ゲート５１０についての感染危険度が「危険度中」であるとの評価結果を出力した場合、第１ゲート待合室５１１に設置された空気浄化装置３０は、動作モードを中動作とし、制御部２４が、第１の空港における、第１ゲート５１０についての感染危険度が「危険度強」であるとの評価結果を出力した場合、第１ゲート待合室５１１に設置された空気浄化装置３０は、動作モードを強動作としてもよい。同様に、例えば、制御部２４が、第１の空港における、第２ゲート５２０についての感染危険度が「危険度低」であるとの評価結果を出力した場合、第２ゲート待合室５２１に設置された空気浄化装置３０は、動作モードを弱動作とし、制御部２４が、第１の空港における、第２ゲート５２０についての感染危険度が「危険度中」であるとの評価結果を出力した場合、第２ゲート待合室５２１に設置された空気浄化装置３０は、動作モードを中動作とし、制御部２４が、第１の空港における、第２ゲート５２０についての感染危険度が「危険度強」であるとの評価結果を出力した場合、第２ゲート待合室５２１に設置された空気浄化装置３０は、動作モードを強動作としてもよい。
【００９８】
また、制御部２４は、例えば、評価結果を、第１の空港に設置された制御装置１３Ａに出力する。制御部２４は、例えば、ディスプレイを備え、制御部２４から評価結果が出力されると、その評価結果をディスプレイに表示するとしてもよい。また、制御部２４は、例えば、第１の空港の職員又は第１の空港を利用する利用者に報知する報知手段（たとえは、スピーカ）を備え、制御部２４から評価結果が出力されると、その評価結果を第１の空港の職員又は第１の空港を利用する利用者に報知するとしてもよい。
【００９９】
なお、制御部２４は、危険度テーブルを生成し、生成した危険度テーブルに基づいて、第１の空港における感染危険度を評価するとして説明した。しかしながら制御部２４は、第２の取得部２２で取得された感染情報から、記憶部２６に記憶される搭乗者情報と記憶部２６に記憶されるフライト情報とに基づいて、第１の空港に到着する搭乗者についての感染情報を抽出し、抽出した感染情報と、前記第１の取得部で取得された感染情報とに基づいて、第１の空港における感染危険度を評価することができれば、必ずしも、危険度テーブルを生成する必要はない。
【０１００】
また、制御部２４は、第１ゲート５１０についての感染危険度と、第２ゲート５２０についての感染危険度とを個別に評価するとして説明したが、第１ゲート５１０についての感染危険度と、第２ゲート５２０についての感染危険度とを個別に評価せずに、第１の空港全体の感染危険度を評価するとしてもよい。この場合には、例えば、制御部２４は、第１ゲート５１０についての待機者中レベル２以上の人数７４と、第２ゲート５２０についての待機者中レベル２以上の人数７４と、第１ゲート５１０についての到着者中レベル２以上の人数７７と、第２ゲート５２０についての到着者中レベル２以上の人数７７との和を、第１ゲート５１０についての待機者人数７３と、第２ゲート５２０についての待機者人数７３と、第１ゲート５１０についての到着便搭乗者（到着者）人数７６と、第２ゲート５２０についての到着便搭乗者（到着者）人数７６との和で除算した値に基づいて、第１の空港全体の感染危険度を評価してもよい。また、例えば、制御部２４は、第１ゲート５１０についての感染危険度と、第２ゲート５２０についての感染危険度とのうちのより高い感染危険度を、第１の空港全体の感染危険度と評価してもよい。このように、制御部２４が第１の空港全体の感染危険度を評価する場合には、例えば、第１の空港に設置された全ての空気浄化装置３０は、第１の空港全体の感染危険度の評価結果に応じた同一の動作モードで動作するとしてもよい。
【０１０１】
更新部２５は、第１の取得部２１、及び第２の取得部２２によって取得された感染情報を更新する。更新部２５が感染情報を更新した場合には、制御部２４は、更新部によって更新された感染情報を用いて上記感染危険度の評価を行う。更新部２５は、例えば、サーバ装置２０が１以上の第ｎ（ｎは３以上の整数）の取得部を備える場合には、各第ｎの取得部によって取得された感染情報も更新する。以下では、説明をわかりやすくするために、第１の空港に到着する航空機は、全て第２の空港から出発した航空機であり、サーバ装置２０は、第１の取得部２１と第２の取得部２２とを備える場合を例示して説明するが、必ずしも、上記例示に限定される必要はない。
【０１０２】
更新部２５は、より具体的には、記憶部２６に記憶される搭乗者情報とフライト情報とに基づいて、第１の空港に到着する航空機に搭乗する搭乗者を特定し、その航空機に搭乗する搭乗者についての感染情報の中に、伝染性の病気に感染している確率が比較的高い旨を示す所定の条件（例えば、対応する感染情報の感染可能性レベルがレベル２以上であるという条件。）を満たす示す第１種感染情報が存在する場合に、その航空機に搭乗する搭乗者のうちの少なくとも一部の搭乗者についての感染情報のそれぞれを、伝染性の病気に感染している確率がより高くなる旨を示すように更新する（例えば、対応する感染情報の感染可能性レベルを１レベル上昇させるように更新する。）。
【０１０３】
更新部２５は、例えば、記憶部２６に記憶される搭乗者情報とフライト情報とに基づいて、空港を出発した各航空機に対して航空機感染テーブルを生成し、生成した航空機感染テーブルに基づいて、感染情報を更新する。
【０１０４】
図９は、更新部２５が生成する航空機感染テーブルの一例を示すデータ構成図である。
【０１０５】
図９に示されるように、航空機感染テーブルは、便名と、感染マップと、出発日時と、到着日時とが対応付けられて構成される。
【０１０６】
感染マップは、対象とする航空機に搭乗する搭乗者のうち、搭乗者についての感染情報の感染可能性レベルが「レベル２」以上である人物の座席を、対象とする航空機の座席配置図にマッピングすることで生成される。更新部２５は、例えば、航空会社から提供された、各航空機の座席配置図を予め記憶しており、予め記憶する座席配置図を利用して、感染マップを生成するとしてもよい。
【０１０７】
図９に示される感染マップにおいて、複数の四角の図形は、それぞれ、航空機の座席を示す。ここでは、座席９１と座席９２とが、その座席に割り当てられている搭乗者についての感染情報の感染可能性レベルが「レベル２」以上である（すなわち、その搭乗者についての感染情報が第１種感染情報である）座席となっている。
【０１０８】
更新部２５は、例えば、感染マップを参照して、第１種感染情報に対応付けられている搭乗者の座席と所定の位置関係にある座席（例えば、第１種感染情報に対応付けられている搭乗者の座席に隣接する座席（図９中の、座席９１ａ〜座席９１ｅ、及び座席９２ａ〜座席９２ｈ））の搭乗者についての感染情報のそれぞれを、伝染性の病気に感染している確率がより高くなる旨を示すように更新する（例えば、対応する感染情報の感染可能性レベルを、それぞれ１レベル上昇させるように更新する。）としてもよい。また、更新部２５は、例えば、感染マップを参照して、第１種感染情報に対応付けられている搭乗者の座席からの距離に応じて、より近い座席の搭乗者についての感染情報の方が、より対応する感染情報の感染可能性レベルの上昇量が大きくなるように、第１種感染情報に対応付けられている搭乗者の座席から所定の距離内になる座席の搭乗者についての感染情報を更新するとしてもよい。
【０１０９】
更新部２５は、例えば、出発日時と到着日時とを参照して、対象とする航空機のフライト時間を特定し、特定したフライト時間に基づいて、感染情報の更新を行うとしてもよい。更新部２５は、例えば、特定したフライト時間が所定時間Ｔ４（例えば、３時間）以上の航空機について感染情報の更新を行い、特定したフライト時間が所定時間Ｔ４未満の航空機についての感染情報の更新を行わないとしてもよい。また、更新部２５は、例えば、特定したフライト時間に応じて、よりフライト時間が長い航空機の方が、より、搭乗者についての感染情報の感染可能性レベルの上昇量が大きくなるように、感染情報を更新するとしてもよい。
【０１１０】
なお、更新部２５は、航空機感染テーブルを生成し、生成した航空機感染テーブルに基づいて、感染情報を更新するとして説明した。しかしながら更新部２５は、記憶部２６に記憶される搭乗者情報とフライト情報とに基づいて、第１の空港に到着する航空機に搭乗する搭乗者を特定し、その航空機に搭乗する搭乗者についての感染情報の中に、伝染性の病気に感染している確率が比較的高い旨を示す所定の条件を満たす示す第１種感染情報が存在する場合に、その航空機に搭乗する搭乗者のうちの少なくとも一部の搭乗者についての感染情報のそれぞれを、伝染性の病気に感染している確率がより高くなる旨を示すように更新することができれば、必ずしも、航空機感染テーブルを生成する必要はない。
【０１１１】
［感染情報評価システムの動作］
以下、上記構成の感染情報評価システム１が行う動作について説明する。
【０１１２】
感染情報評価システム１は、その特徴的な動作として、第１の空港における感染危険度を評価する感染情報評価処理と、第１の空港に到着する搭乗者についての感染情報を更新する感染情報更新処理とを行う。以下、これらの処理について、順に説明する。
【０１１３】
図１０は、感染情報評価システム１が行う感染危険度処理のフローチャートである。
【０１１４】
感染危機度評価処理は、例えば、感染情報評価システム１を利用するユーザによって、サーバ装置２０に対して、感染危機度評価処理を開始する旨の操作がなされることで開始される。
【０１１５】
感染情報評価処理が開始されると、第１の取得部２１は、第１の空港に設置された第１の取得装置１０Ａと通信して、第１の取得装置１０Ａから、第１の取得装置１０Ａによって生成された感染情報を取得する。すなわち、第１の取得部２１は、第１の空港で検出された、第１の空港で航空機に搭乗する搭乗者それぞれについての、伝染性の病気に感染している可能性を示す感染情報を、その搭乗者の識別情報と対応付けて取得する（ステップＳ１０）。
【０１１６】
そして、第２の取得部２２は、第２の空港に設置された第２の取得装置１０Ｂと通信して、第２の取得装置１０Ｂから、第２の取得装置１０Ｂによって生成された感染情報を取得する。すなわち、第２の取得部２２は、第２の空港で検出された、第２の空港で航空機に搭乗する搭乗者それぞれについての、伝染性の病気に感染している可能性を示す感染情報を、その搭乗者の識別情報と対応付けて取得する（ステップＳ１１）。
【０１１７】
次に、制御部２４は、ステップＳ１１の処理によって取得された、第２の空港で航空機に搭乗する搭乗者についての感染情報から、記憶部２６に記憶される搭乗者情報とフライト情報とに基づいて、第１の空港に到着する搭乗者についての感染情報を抽出する（ステップＳ１２）。
【０１１８】
第１の空港に到着する搭乗者についての感染情報を抽出すると、制御部２４は、抽出した第１の空港に到着する搭乗者についての感染情報の中に、後述の感染情報更新処理によって更新された感染情報が存在するか否かを調べる（ステップＳ１３）。
【０１１９】
ステップＳ１３の処理において、更新された感染情報が存在する場合に（ステップＳ１３：Ｙｅｓ）、制御部２４は、その更新された感染情報で、抽出した第１の空港に到着する搭乗者についての感染情報を更新する（ステップＳ１４）。
【０１２０】
ステップＳ１３の処理において、更新された感染情報が存在しない場合（ステップＳ１３：Ｎｏ）、及びステップＳ１４の処理が終了した場合に、制御部２４は、第１の空港に到着する搭乗者についての感染情報報と、ステップＳ１０の処理によって取得された感染情報とに基づいて、第１の空港における、伝染性の病気に感染する危険度を示す感染危険度を評価し（ステップＳ１５）、評価結果を出力する（ステップＳ１６）。
【０１２１】
評価結果を出力すると、感染情報評価システム１は、前回ステップＳ１０の処理の実行を開始してから所定時間Ｔ５（例えば、１０分）経過するまで待機する（ステップＳ１７：Ｎｏを繰り返す）。
【０１２２】
前回ステップＳ１０の処理の実行を開始してから所定時間Ｔ５経過すると（ステップＳ１７：Ｙｅｓ）、感染情報評価システム１は、再びステップＳ１０の処理に戻って、ステップＳ１０以降の処理を繰り返す。
【０１２３】
図１１は、感染情報評価システム１が行う感染情報更新処理のフローチャートである。
【０１２４】
感染情報更新処理は、例えば、感染情報評価システム１を利用するユーザによって、サーバ装置２０に対して、感染情報更新処理を開始する旨の操作がなされることで開始される。
【０１２５】
感染情報更新処理が開始されると、更新部２５は、記憶部２６に記憶される搭乗者情報とフライト情報とに基づいて、既に出発した航空機のうち、第１の空港に到着する航空機に搭乗する搭乗者を特定する（ステップＳ２０）。但し、更新部２５は、一の感染情報更新処理において、過去にステップＳ２０の処理を行ったことがある場合には、前回ステップＳ２０の処理の実行を開始してから所定時間Ｔ６（例えば１０分）経過するまでの間に出発した航空機のうち、第１の空港に到着する航空機に搭乗する搭乗者を特定する。
【０１２６】
次に、更新部２５は、特定した、第１の空港に到着する航空機に搭乗する搭乗者についての感染情報の中に、伝染性の病気に感染している確率が比較的高い旨を示す所定の条件を満たす示す第１種感染情報が存在するか否かを調べる（ステップＳ２１）。
【０１２７】
ステップＳ２１の処理において、第１種感染情報が存在する場合に、更新部２５は、その第１種感染情報に対応する搭乗者が搭乗する航空機に搭乗する搭乗者のうちの少なくとも一部の搭乗者についての感染情報のそれぞれを、伝染性の病気に感染している確率がより高くなる旨を示すように更新する（ステップＳ２２）。
【０１２８】
ステップＳ２１の処理において、第１種感染情報が存在しない場合（ステップＳ２１：Ｎｏ）、及びステップＳ２２の処理が終了した場合に、感染情報評価システム１は、前回ステップＳ２０の処理の実行を開始してから所定時間Ｔ６経過するまで待機する（ステップＳ２３：Ｎｏを繰り返す）。
【０１２９】
前回ステップＳ２０の処理の実行を開始してから所定時間Ｔ６経過すると（ステップＳ２３：Ｙｅｓ）、感染情報評価システム１は、再びステップＳ２０の処理に戻って、ステップＳ２０以降の処理を繰り返す。
【０１３０】
［考察］
上述したように、感染情報評価システム１は、第１の空港で航空機に搭乗する搭乗者についての感染情報と、第１の空港に到着する搭乗者についての感染情報報とに基づいて、第１の空港における、伝染性の病気に感染する危険度を示す感染危険度を評価する。このため、感染情報評価システム１によると、空港における、伝染性の病気への感染の拡大を、従来よりも効果的に抑制し得る。
【０１３１】
（他の実施の形態）
以上、本開示の一態様に係る感染情報評価システムについて、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、本開示の１つまたは複数の態様の範囲内に含まれてもよい。
【０１３２】
例えば、サーバ装置２０は、互いに通信可能な複数のコンピュータ装置を含んで構成され、サーバ装置２０に含まれる各構成要素（第１の取得部２１、第２の取得部２２、通信部２３、制御部２４、更新部２５、記憶部２６等）は、分散コンピューティング又はクラウドコンピューティングによって実現されてもよい。又は、サーバ装置２０に含まれる構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されているとしてもよい。例えば、サーバ装置２０は、第１の取得部２１と、第２の取得部２２と、通信部２３と、制御部２４と、更新部２５と、記憶部２６とを含むシステムＬＳＩから構成されてもよい。
【０１３３】
システムＬＳＩは、複数の構成部を１個のチップ上に集積して製造された超多機能ＬＳＩであり、具体的には、マイクロプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などを含んで構成されるコンピュータシステムである。ＲＯＭには、コンピュータプログラムが記憶されている。マイクロプロセッサが、コンピュータプログラムに従って動作することにより、システムＬＳＩは、その機能を達成する。
【０１３４】
なお、ここでは、システムＬＳＩとしたが、集積度の違いにより、ＩＣ、ＬＳＩ、スーパーＬＳＩ、ウルトラＬＳＩと呼称されることもある。また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）、あるいはＬＳＩ内部の回路セルの接続や設定を再構成可能なリコンフィギュラブル・プロセッサを利用してもよい。
【０１３５】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１３６】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【産業上の利用可能性】
【０１３７】
本開示は、空港における、伝染性の病気への感染の拡大を抑制するシステム等に広く利用可能である。
【符号の説明】
【０１３８】
１  感染情報評価システム
１０  取得装置
１０Ａ  第１の取得装置
１０Ｂ  第２の取得装置
２０  サーバ装置
２１  第１の取得部
２２  第２の取得部
２４  制御部
２５  更新部
２６  記憶部
３０、３０Ａ１、３０Ａ２、３０Ｂ１、３０Ｂ２  空気浄化装置
【図１】
2019204349.tif 000003
【図２】
2019204349.tif 000004
【図３】
2019204349.tif 000005
【図４】
2019204349.tif 000006
【図５】
2019204349.tif 000007
【図６】
2019204349.tif 000008
【図７】
2019204349.tif 000009
【図８】
2019204349.tif 000010
【図９】
2019204349.tif 000011
【図１０】
2019204349.tif 000012
【図１１】
2019204349.tif 000013